(57)【要約】  本願は、部品が少なく、展開と折り畳みの操作が利便である折り畳み可能な浴槽を提供する。本願の折り畳み可能な浴槽は、底面（１００）と、上端枠（２００）と、底面（１００）と上端枠（２００）を連結する折り畳み可能な環状壁部（３００）と、を含む。前記底面（１００）と前記上端枠（２００）は、プラスチックによる射出成型により形成されるものであり、前記環状壁部（３００）は、熱可塑性弾性材料による射出成型により形成されるものである。
2013540023.tif 000002
【特許請求の範囲】
【請求項１】
底面と、上端枠と、底面と上端枠を連結する折り畳み可能な環状壁部と、を含む折り畳み可能な浴槽において、
前記底面と前記上端枠は、プラスチックによる射出成型により形成されるものであり、前記環状壁部は、熱可塑性弾性材料による射出成型により形成されるものである、ことを特徴とする折り畳み可能な浴槽。
【請求項２】
前記環状壁部には、当該環状壁部を底面に向って折り畳むための前記底面に平行な複数の環状折り畳み線が形成されている、ことを特徴とする請求項１に記載の折り畳み可能な浴槽。
【請求項３】
前記底面は、平板部分と、前記平板部分から上側へ延びて前記環状壁部と連結する下側連結用壁とを含む、ことを特徴とする請求項２に記載の折り畳み可能な浴槽。
【請求項４】
前記下側連結用壁の上端部には、前記下側連結用壁の周面に沿って一周する成型用凹部が形成されており、射出成型により環状壁部を成型する時、前記熱可塑性弾性材料が前記成型用凹部内まで注入される、ことを特徴とする請求項３に記載の折り畳み可能な浴槽。
【請求項５】
前記成型用凹部には、複数の貫通穴が形成されており、射出成型により前記環状壁部を成型する時、前記熱可塑性弾性材料が前記貫通穴まで注入される、ことを特徴とする請求項４に記載の折り畳み可能な浴槽。
【請求項６】
前記底面には、排水口が形成されており、前記折り畳み可能な浴槽は、前記排水口に嵌挿するゴム栓も含む、ことを特徴とする請求項２に記載の折り畳み可能な浴槽。
【請求項７】
前記上端枠は、辺縁部と、前記辺縁部から下側へ延びて前記環状壁部と連結する上側連結用壁とを具備する、ことを特徴とする請求項２に記載の折り畳み可能な浴槽。
【請求項８】
前記上側連結用壁の下端部には、前記上側連結用壁の周面に沿って一周する成型用凹部が形成されており、射出成型により前記環状壁部を成型する時、前記熱可塑性弾性材料が前記成型用凹部内まで注入される、ことを特徴とする請求項６に記載の折り畳み可能な浴槽。
【請求項９】
前記成型用凹部には、複数の貫通穴が形成されており、射出成型により前記環状壁部を成型する時、前記熱可塑性弾性材料が前記貫通穴まで注入さる、ことを特徴とする請求項７に記載の折り畳み可能な浴槽。
【請求項１０】
前記辺縁部には、フック部が形成されており、射出成型により前記環状壁部を成型する時、前記フック部の内周面に熱可塑性弾性材料層を形成する、ことを特徴とする請求項７に記載の折り畳み可能な浴槽。
【請求項１１】
前記辺縁部の両側には、取っ手が形成されており、前記取っ手は、突出した補強構造と辺縁部に沿って形成される成型用凹部とを具備し、且つ射出成型により前記環状壁部を成型する時、前記熱可塑性弾性材が前記成型用凹部内まで注入される、ことを特徴とする請求項７に記載の折り畳み可能な浴槽。
【請求項１２】
前記辺縁部の上表面には、図案状凹部が凹設されており、且つ前記図案状凹部の内に貫通穴が形成されているので、射出成型により前記環状壁部を成型する時、前記熱可塑性弾性材が前記貫通穴を通して前記図案状凹部まで注入される、ことを特徴とする請求項７に記載の折り畳み可能な浴槽。
【請求項１３】
前記辺縁部の上には品物を置くための収納部が形成されている、ことを特徴とする請求項７に記載の折り畳み可能な浴槽。
【請求項１４】
前記折り畳み可能な浴槽は、前記上端枠と前記底面との間に設けられている着脱可能な複数の支持棒をさらに含み、
前記複数の支持棒は、前記環状壁部の外側に設けられており、且つ、前記折り畳み可能な浴槽を展開する際、前記複数の支持棒が前記上端枠と前記底面との間に支持され、前記折り畳み可能な浴槽を折り畳む際、前記複数の支持棒が前記底面の下側に収納される、ことを特徴とする請求項２に記載の折り畳み可能な浴槽。
【請求項１５】
前記折り畳み可能な浴槽には、各々の支持棒の端部が球形に形成される支持棒が４本設けられており、
前記上端枠の下側には、前記支持棒の第一端を収納する上側中空部と前記支持棒が回転するように前記上側中空部を切り欠いて形成した切欠部とを含む上側関節部が４個装着されており、
前記底面の対応する位置には、前記支持棒の第二端を収納する下側中空部を含む下側関節部が４個装着されており、前記下側中空部の上端部には、外力により支持棒を着脱することができる係合部が形成されており、
前記支持棒の第一端は、前記上側中空部の内に係合されており、前記支持棒の第二端は、前記折り畳み可能な浴槽を展開する際には前記下側中空部が係合されるが、前記折り畳み可能な浴槽を折り畳む際には前記下側中空部から脱出する、ことを特徴とする請求項１４に記載の折り畳み可能な浴槽。
【請求項１６】
前記ゴム栓の表面には、温度の変化により色が変わる温度表示層が形成されている、ことを特徴とする請求項６に記載の折り畳み可能な浴槽。
【請求項１７】
前記折り畳み可能な浴槽は、前記辺縁部の下側に対称に設けられている２つの折り畳み型支持部をさらに含み、
前記折り畳み可能な浴槽を展開する際には、前記支持部が展開されて前記辺縁部を支持し、前記折り畳み可能な浴槽を折り畳む際には、前記支持部が前記辺縁部の下側に収納される、ことを特徴とする請求項２に記載の折り畳み可能な浴槽。
【請求項１８】
前記支持部は、２つの脚部と、２つの脚部の間に連結されている連結杆と、各々の脚部の上端に回転可能に連結されている２つのヒンジ部品と、を含み、前記ヒンジ部品は、前記上端枠の下側に固定されている、ことを特徴とする請求項１７に記載の折り畳み可能な浴槽。
【請求項１９】
前記脚部の上端には弾性ロック部が形成されており、前記ヒンジ部品には、前記弾性ロック部と係合する鉤部が形成されており、前記支持部を展開する際、前記弾性ロック部が前記鉤部に係合される、ことを特徴とする請求項１８に記載の折り畳み可能な浴槽。
【請求項２０】
前記ヒンジ部品には、Ｕ字形の当接部が形成されており、前記支持部を展開する際には、前記脚部が前記Ｕ字形の当接部の底面に当接される、ことを特徴とする請求項１８に記載の折り畳み可能な浴槽。
【発明の詳細な説明】
【技術分野】
【０００１】
本願は、浴槽に関し、特に折り畳み可能な浴槽に関する。
【背景技術】
【０００２】
一般の家族において、特に子供がいる家族において、浴槽はなくてはならない物である。浴室にある一般の浴槽は、子供においては少し大きい。このような浴槽は、体積が大きく、スペースを多く占用するため、使っていない浴槽を置くための場所を探し出さなければならない。このような問題を解決するため、折り畳み可能な浴槽を発明した。従来の折り畳み可能な浴槽は、折り畳み可能なフレームと、柔軟な材料から構成される浴槽壁部と、を含み、折り畳み可能なフレームにより浴槽壁部を展開する。しかし、従来の折り畳み可能な浴槽は、部品が多く、展開と折り畳みの操作が不便であるという欠点を有している。且つ、浴槽の展開と折り畳みを繰り返す場合、浴槽の折り畳み部位に破損と水漏れが容易に発生する。
【発明の概要】
【発明が解決しようとする課題】
【０００３】
本発明が解決しようとする課題は、部品が多く、展開と折り畳みの操作が不便である従来の折り畳み可能な浴槽の問題点を解決するため、部品が少なく、展開と折り畳みの操作が利便である折り畳み可能な浴槽を提供することにある。
【課題を解決するための手段】
【０００４】
前述した課題を解決するため、本発明において、底面と、上端枠と、底面と上端枠を連結する折り畳み可能な環状壁部と、を含む折り畳み可能な浴槽を提供する。前記底面と前記上端枠は、プラスチックによる射出成型により形成されるものであり、前記環状壁部は、熱可塑性弾性材料による射出成型により形成されるものである。
【０００５】
本発明の前記折り畳み可能な浴槽において、前記環状壁部には環状壁部を底面に向って折り畳むための前記底面に平行な複数の環状折り畳み線が形成されている。
【０００６】
本発明の前記折り畳み可能な浴槽において、前記底面は、平板部分と、前記平板部分から上側へ延びて前記環状壁部と連結する下側連結用壁と、を含む。
【０００７】
本発明の前記折り畳み可能な浴槽において、前記下側連結用壁の上端部には、前記下側連結用壁の周面に沿って一周する成型用凹部が形成されている。射出成型により環状壁部を成型する時、前記熱可塑性弾性材料が前記成型用凹部内まで注入される。
【０００８】
本発明の前記折り畳み可能な浴槽において、前記成型用凹部には、複数の貫通穴が形成されており、射出成型により前記環状壁部を成型する時、前記熱可塑性弾性材料が前記貫通穴まで注入される。
【０００９】
本発明の前記折り畳み可能な浴槽において、前記底面には排水口が形成されている。前記折り畳み可能な浴槽は、前記排水口に嵌挿するゴム栓も含む。
【００１０】
本発明の前記折り畳み可能な浴槽において、前記上端枠は、辺縁部と、前記辺縁部から下側へ延びて前記環状壁部と連結する上側連結用壁と、を具備する。
【００１１】
本発明の前記折り畳み可能な浴槽において、前記上側連結用壁の下端部には、前記上側連結用壁の周面に沿って一周する成型用凹部が形成されている。射出成型により前記環状壁部を成型する時、前記熱可塑性弾性材料が前記成型用凹部内まで注入される。
【００１２】
本発明の前記折り畳み可能な浴槽において、前記成型用凹部には、複数の貫通穴が形成されている。射出成型により前記環状壁部を成型する時、前記熱可塑性弾性材料が前記貫通穴まで注入さる。
【００１３】
本発明の前記折り畳み可能な浴槽において、前記辺縁部には、フック部が形成されている。射出成型により前記環状壁部を成型する時、前記フック部の内周面に熱可塑性弾性材料層を形成する。
【００１４】
本発明の前記折り畳み可能な浴槽において、前記辺縁部の両側には、取っ手が形成されている。前記取っ手は、突出した補強構造と、辺縁部に沿って形成される成型用凹部と、を具備する。射出成型により前記環状壁部を成型する時、前記熱可塑性弾性材が前記成型用凹部内まで注入される。
【００１５】
本発明の前記折り畳み可能な浴槽において、前記辺縁部の上表面には、図案状凹部が凹設されており、且つ前記図案状凹部の内に貫通穴が形成されているので、射出成型により前記環状壁部を成型する時、前記熱可塑性弾性材が前記貫通穴を通して前記図案状凹部まで注入される。
【００１６】
本発明の前記折り畳み可能な浴槽において、前記辺縁部の上には品物を置くための収納部が形成されている。
【００１７】
本発明の前記折り畳み可能な浴槽において、前記折り畳み可能な浴槽は、前記上端枠と前記底面との間に設けられている着脱可能な複数の支持棒をさらに含む。前記複数の支持棒は、前記環状壁部の外側に設けられている。前記折り畳み可能な浴槽を展開する時、前記複数の支持棒が前記上端枠と前記底面との間に支持され、前記折り畳み可能な浴槽を折り畳む時、前記複数の支持棒が前記底面の下側に収納される。
【００１８】
本発明の前記折り畳み可能な浴槽には、前記支持棒が４本設けられており、各々の支持棒の端部が球形に形成されている。前記上端枠の下側には、上側関節部が４個装着されている。前記上側関節部は、前記支持棒の第一端を収納する上側中空部と、前記支持棒が回転するように前記上側中空部を切り欠いて形成した切欠部と、を含む。前記底面の対応する位置には、下側関節部が４個装着されている。前記下側関節部は、前記支持棒の第二端を収納する下側中空部を含む。前記下側中空部の上端部には、外力により支持棒を着脱することができる係合部が形成されている。前記支持棒の第一端は、前記上側中空部の内に係合されている。前記支持棒の第二端は、前記折り畳み可能な浴槽を展開する際には前記下側中空部が係合されるが、前記折り畳み可能な浴槽を折り畳む際には前記下側中空部から脱出する。
【００１９】
本発明の前記折り畳み可能な浴槽において、前記ゴム栓の表面には、温度の変化により色が変わる温度表示層が形成されている。
【００２０】
本発明の前記折り畳み可能な浴槽において、前記折り畳み可能な浴槽は、前記辺縁部の下側に対称に設けられている２つの折り畳み型支持部をさらに含む。前記折り畳み可能な浴槽を展開する際には、前記支持部が展開されて前記辺縁部を支持し、前記折り畳み可能な浴槽を折り畳む際には、前記支持部が前記辺縁部の下側に収納される。
【００２１】
本発明の前記折り畳み可能な浴槽において、前記支持部は、２つの脚部と、２つの脚部の間に連結されている連結杆と、各々の脚部の上端に回転可能に連結されている２つのヒンジ部品と、を含む。前記ヒンジ部品は、前記上端枠の下側に固定されている。
【００２２】
本発明の前記折り畳み可能な浴槽において、前記脚部の上端には、弾性ロック部が形成されている。前記ヒンジ部品には、前記弾性ロック部と係合する鉤部が形成されている。前記支持部を展開する際、前記弾性ロック部が前記鉤部に係合される。
【００２３】
本発明の前記折り畳み可能な浴槽において、前記ヒンジ部品には、Ｕ字形の当接部が形成されており、前記支持部を展開する際には、前記脚部が前記Ｕ字形の当接部の底面に当接される。
【発明の効果】
【００２４】
本発明の実施例に係る折り畳み可能な浴槽は、以下のような発明の効果を奏することができる。本発明の折り畳み可能な浴槽は、プラスチックによる射出成型と熱可塑性弾性材料を採用した射出成型とにより成型することができる。本発明の折り畳み可能な浴槽は、構造が簡単である利点と、展開と折り畳みを容易に行うことができる利点と、占用するスペースが少ない利点と、容易に携帯することができる利点などを有しているので、一般の家庭用と旅行に応用することができる。
【図面の簡単な説明】
【００２５】
【図１】本発明の最良の実施例に係る折り畳み可能な浴槽を示す斜視図である。
【図２】本発明の最良の実施例に係る折り畳み可能な浴槽を示す断面図である。
【図３】図２のＡ部分を示す拡大図である。
【図４】本発明の最良の実施例に係る折り畳み可能な浴槽を示す断面図である。
【図５】本発明の最良の実施例に係る折り畳み可能な浴槽の折り畳み状態を示す表面図である。
【図６】本発明の最良の実施例に係る折り畳み可能な浴槽の折り畳みの流れを示す図である。
【図７】本発明の最良の実施例に係る折り畳み可能な浴槽の展開の流れを示す図である。
【図８】本発明の第二実施例に係る折り畳み可能な浴槽の展開状態を示す斜視図である。
【図９】本発明の第二実施例に係る折り畳み可能な浴槽を示す分解斜視図である。
【図１０】本発明の第二実施例に係る折り畳み可能な浴槽の上側関節部を示す斜視図である。
【図１１】本発明の第二実施例に係る折り畳み可能な浴槽の下側関節部を示す斜視図である。
【図１２】本発明の第二実施例に係る折り畳み可能な浴槽の折り畳み状態を示す斜視図である。
【図１３】本発明の第三実施例に係る折り畳み可能な浴槽の展開状態を示す斜視図である。
【図１４】本発明の第三実施例に係る折り畳み可能な浴槽の折り畳み状態を示す図である。
【図１５ａ】本発明の第三実施例に係る折り畳み可能な浴槽の前部支持部を示す図である。
【図１５ｂ】本発明の第三実施例に係る折り畳み可能な浴槽の前部支持部を示す図である。
【図１６ａ】本発明の第三実施例に係る折り畳み可能な浴槽の後部支持部を示す図である。
【図１６ｂ】本発明の第三実施例に係る折り畳み可能な浴槽の後部支持部を示す図である。
【図１７ａ】本発明の第三実施例に係る折り畳み可能な浴槽の前部ヒンジ部品を示す図である。
【図１７ｂ】本発明の第三実施例に係る折り畳み可能な浴槽の前部ヒンジ部品を示す図である。
【図１７ｃ】本発明の第三実施例に係る折り畳み可能な浴槽の前部ヒンジ部品を示す図である。
【図１７ｄ】本発明の第三実施例に係る折り畳み可能な浴槽の前部ヒンジ部品を示す図である。
【図１８ａ】本発明の第三実施例に係る折り畳み可能な浴槽の後部ヒンジ部品を示す図である。
【図１８ｂ】本発明の第三実施例に係る折り畳み可能な浴槽の後部ヒンジ部品を示す図である。
【図１８ｃ】本発明の第三実施例に係る折り畳み可能な浴槽の後部ヒンジ部品を示す図である。
【図１８ｄ】本発明の第三実施例に係る折り畳み可能な浴槽の後部ヒンジ部品を示す図である。
【発明を実施するための形態】
【００２６】
本発明の技術的特徴、発明の目的、発明の効果をより詳しく示すため、以下、図面を参照しながら本発明の具体的な実施例について詳しく説明する。
【００２７】
図１〜図５は、本発明の最良の実施例に係る折り畳み可能な浴槽を示す図である。本実施例の折り畳み可能な浴槽は、底面１００と、上端枠２００と、底面１００と上端枠２００とを連結する折り畳み可能な環状壁部３００と、を含む。底面１００と上端枠２００は、プラスチックを材料とする一回目の射出成型により形成されるものである。例えば、ポリプロピレン（Polypropylene、ＰＰと略称）を材料とする一回目の射出成型により形成する。射出成型して得た底面１００と上端枠２００を再度金型の中に入れた後、二回目の射出成型により環状壁部３００を形成する。例えば、熱可塑性エラストマ（Thermoplastic  Elastomr、ＴＰＥと略称）を材料とする二回目の射出成型により環状壁部３００を形成する。前記ＴＰＥ材料は、ゴムのような高弾性・高強度・高弾性復元力を有している特徴と、射出成型が可能である特徴と、無毒で安全である特徴と、硬度の範囲が広い特徴と、着色性・触感・耐環境性・耐疲労性・耐温度性・加工性がよい特徴と、加硫工程が必要でない特徴と、二回目の射出成型が可能である特徴と、ＰＰ、ＰＥ、ＰＣ、ＰＳ、ＡＢＳなどからなる構造部品と接着することができる特徴、などのような特徴を有している。熱可塑性弾性材料を材料とする二回目の射出成型により環状壁部３００を形成する際、一回目の射出成型により形成された底面１００と上端枠２００が一体に連結される。環状壁部３００には、底面１００に平行し、且つ環状壁部３００を底面に向って折り畳むための複数の環状折り畳み線３０１が形成されている。
【００２８】
本実施例において、底面１００と環状壁部３００を確実に連結させるため、底面１００が平板部分１１０と平板部分１１０から上側へ延びて環状壁部３００と連結する下側連結用壁１２０とを含むようにする。下側連結用壁１２０の上端部１２１には、下側連結用壁１２０の周面に沿って一周する成型用凹部が形成されている。熱可塑性弾性材料を材料とする二回目の射出成型により環状壁部３００を成型する時、熱可塑性弾性材料が成型用凹部内まで注入するようにして、環状壁部３００と底面１００との間の結合強度を向上させることができる。即ち、前記成型用凹部は、下側連結用壁１２０の上端部１２１に凹設されている凹部であり、熱可塑性弾性材料とする二回目の射出成型により環状壁部３００を成型する時、前記凹部により環状壁部３００と下側連結用壁１２０との間の結合面積を増加させて、両者が確実に結合するようにすることができる。且つ、成型用凹部に複数の貫通穴をさらに形成して、二回目の射出成型により環状壁部３００を成型する時、熱可塑性弾性材料が前記貫通穴まで流入するようにして、環状壁部３００と底面１００との間の結合をさらに向上させることができる。底面１００の平板部分１１０には、排水するための排水口１１１が形成されている。折り畳み可能な浴槽は、排水口１１１に嵌挿するゴム栓１１２をさらに含む。フレキシブルな鎖を通してゴム栓１１２を底面１００の平板部分１１０に連繋することができるが、連繋しなくてもよい。水温を表示して使用者が水温を速めに判断するように、温度の変化により色が変わる材料から構成される温度表示層を底面１００或いはゴム栓１１２の表面に形成することができる。例えば、温度が摂氏３７度を超えると温度表示層が変色するように設定して、使用者が温度表示層の色からすぐに水温を判断するようにすることができる。
【００２９】
本実施例において、上端枠２００と環状壁部３００を確実に結合させるため、上端枠２００が辺縁部２１０と、辺縁部２１０から下側へ延びて環状壁部３００と繋がる上側連結用壁２２０と、を含むようにする。上側連結用壁２２０の下端部２２１には、上側連結用壁２２０の周面に沿って一周する成型用凹部が形成されている。二回目の射出成型により環状壁部３００を成型する時、熱可塑性弾性材料が成型用凹部内まで注入するようにして、環状壁部３００と上端枠２００との間の結合強度を向上させることができる。即ち、前記成型用凹部は、上側連結用壁２２０の下端部２２１に凹設されている凹部である。熱可塑性弾性材料を二回目の射出成型により環状壁部３００を成型する時、この凹部により前記凹部により環状壁部３００と上側連結用壁２２０との間の結合面積を増加させて、両者が確実に結合するようにすることができる。且つ、成型用凹部に複数の貫通穴をさらに形成して、二回目の射出成型により環状壁部３００を成型する時、熱可塑性弾性材料が前記貫通穴まで流入するようにして、環状壁部３００と底面１００との間の結合強度をさらに向上させることができる。
【００３０】
本実施例において、使用しない時の浴槽を片付けるため、辺縁部２１０にフック部２１１を形成することができる。且つ、二回目の射出成型により環状壁部３００を成型する時、フック部２１１の内周面に熱可塑性弾性材料層をさらに形成して、フック部２１１とフック棒との間の摩擦力を向上させることができる。例えば、浴室に設けられるフック棒とフック部２１１との間の摩擦力を向上させて、フック部２１１がフック棒の上で勝手に滑らないようにすることができる。
【００３１】
本実施例において、辺縁部２１０の両側には、浴槽の利便性を向上させるための取っ手２１３、２１４が形成されている。取っ手２１３、２１４は、取っ手の周辺の強度を向上させるために凸設する補強構造を具備する。取っ手２１３、２１４の触感を向上させるため、辺縁部２１０に沿う成型用凹部を形成し、且つ二回目の射出成型により環状壁部３００を成型する時、熱可塑性弾性材が成型用凹部内まで注入するようにして、触感を向上させるための熱可塑性弾性材料層をさらに形成することができる。
【００３２】
本実施例において、辺縁部２１０の上表面には図案状凹部２１５が凹設されている。且つ、図案状凹部２１５の内に貫通穴が形成されているので、二回目の射出成型により環状壁部３００を成型する時、この貫通穴を通して熱可塑性弾性材が図案状凹部２１５まで注入されることができる。上端枠の色と異なる熱可塑性弾性材料を使う場合、図案状凹部により辺縁部の上表面にカラー図案を形成することができる。前記図案は、装飾用図案或いは標識用図案であることができる。例えば、商標或いは取り扱い説明を示す図案であることができる。辺縁部２１０の上には、浴槽用品、例えば石鹸、タオルなどを置くための収納部２１６がさらに形成されている。
【００３３】
本実施例の浴槽の断面形状が略運動場形状になっているが、このような形状に限定されるものではない。例えば、円形或いは他の形状にしてもよい。環状壁部３００の色として、カラー或いは透明な無色にすることができる。
【００３４】
図６は、本発明の折り畳み可能な浴槽を折り畳む方法を示す図である。展開された浴槽を地面に置いた後、辺縁部２１０の取っ手２１３、２１４を下側へ押すと、環状壁部３００が環状折り畳み線３０１に沿って折り畳まれ、折り畳み可能な浴槽が折り畳み状態になる。これにより、浴槽が占用するスペースを減らすことができる。図７は、折り畳まれた本発明の浴槽を展開する方法を示す図である。浴槽の底面１００を押したまま、辺縁部２１０の取っ手２１３、２１４を上側へ引くと、環状壁部３００が環状折り畳み線３０１に沿って展開されるので、折り畳み可能な浴槽が展開状態になる。浴槽を展開し、底面１００の排水口１１１を詰めると、浴槽を使うことができる。
【００３５】
図８、図９及び図１２は、本発明の第二実施例に係る折り畳み可能な浴槽を示す図である。本実施例は、第一実施例の折り畳み可能な浴槽に基づく改良例である。本実施例においては、展開された折り畳み可能な浴槽の強度を向上させるとともに、使用している展開状態の折り畳み可能な浴槽が外力により折り畳まれることを防ぐため、上端枠２００と底面１００との間に着脱可能な複数の支持棒４１０を設ける。複数の支持棒４１０は、環状壁部３００の外側に設けられている。折り畳み可能な浴槽を展開する場合、複数の支持棒４１０が上端枠２００と底面１００との間に支持されるので、浴槽の強度を向上させるとともに、使用している浴槽が折り畳まれることを防ぐことができる。また、折り畳み可能な浴槽を折り畳む場合、複数の支持棒４１０が底面１００の下側に収納されるので、スペースを節約することができる。
【００３６】
図１０と図１１を参照すると、第二実施例の折り畳み可能な浴槽は、浴槽の両側に２つずつ設けられる４つの支持棒４１０を含む。各々の支持棒４１０の端部は、球形に形成されている。上端枠２００の下側には、プラスチック製である４つの上側関節部４２０が装着されている。上側関節部４２０は、支持棒４１０の第一端４１１を収納する上側中空部４２１と、支持棒４１０が回転できるように上側中空部４２１を切り欠いて形成した切欠部４２２と、を含む。底面１００の対応する位置には、同様にプラスチック製である４つの下側関節部４３０が装着されている。下側関節部４３０は、支持棒４１０の第二端４１２を収納する下側中空部４３１を含む。下側中空部４３１の上端部には、外力により支持棒４１０を着脱することができる係合部４３２が形成されている。本実施例の４つの係合部４３２は、別々に支持棒４１０の第二端４１２を固定する。上側中空部４２１に切欠部４２２が形成され、且つ支持棒４１０の端部が球形であるので、上側中空部４２１内に係合されている支持棒４１０が上端枠２００に相対して回転することができる。浴槽を展開する時、支持棒４１０が上端枠２００に相対して回転し、支持棒４１０の第二端４１２が上端枠２００から底面１００へ動く。この場合、下側関節部４３０の下側中空部４３１の上端部に形成される係合部４３２が支持棒４１０の第二端４１２を支持するよう第二端４１２を下側中空部４３１に係合させて、浴槽の強度を向上させることができる。浴槽を折り畳む時、下側中空部４３１から支持棒４１０の第二端４１２を抜いた後、支持棒４１０が辺縁部２１０の下側に収納されるように支持棒４１０を回転する。これにより、図１２に示す折り畳み状態になる。
【００３７】
第二実施例の上側関節部４２０と下側関節部４３０は、いずれもプラスチック部品であり、別々にネジにより上端枠２００或いは底面１００に装着されている。しかし、他の実施例において、底面１００の下側に形成されるＵ字形の係合部により装着する方法を採用してもよい。本実施例の他の構造は、第一実施例の構造に類似しているので、ここでは再度説明しない。
【００３８】
図１３及び図１４は、本発明の第三実施例に係る折り畳み可能な浴槽を示す図である。本実施例は、第一実施例の折り畳み可能な浴槽に基づく改良例である。本実施例は、折り畳み可能な浴槽の展開状態の強度を向上させるとともに、展開して使用している浴槽が外力により折り畳まれることを防ぐことを目的とする。本実施例の折り畳み可能な浴槽は、辺縁部２１０の下側に設けられている２つの折り畳み型支持部５００ａ、５００ｂを含む。５００ａは、浴槽の前部に設けられている前部支持部であり、５００ｂは、浴槽の後部に設けられている後部支持部である。２つの支持部５００ａ、５００ｂは、浴槽の前後に対称に設けられている。折り畳み可能な浴槽を展開する場合、２つの支持部５００ａ、５００ｂが展開されて辺縁部２１０を支持するため、浴槽の強度を向上させるとともに、使用中の浴槽が外力により折り畳み状態になることを防ぐことができる。折り畳み可能な浴槽を折り畳む場合、図１４に示すとおり、２つの支持部５００ａ、５００ｂが辺縁部２１０の下側に収納されるので、浴槽が占用するスペースを節約することができる。
【００３９】
本実施例の２つの支持部５００ａ、５００ｂの構造がほぼ同じである。しかし、２つの支持部が設置される位置の浴槽の形状が異なり、且つ支持部の形状が浴槽の形状に従うので、２つの支持部の形状が若干違うことができる。以下、支持部５００ａを例にして支持部の具体的な構造を説明する。図１５ａと図１５ｂに示すとおり、支持部５００ａは、２つの脚部５１０、５２０と、２つの脚部５１０と５２０との間に連結されている連結杆５３０と、を含む。連結杆５３０が２つの脚部５１０、５２０を一体に連結するので、支持部の強度を向上させるとともに、よりよい支持効果を得ることができる。２つの脚部５１０、５２０と連結杆５３０とは、射出成型により一体に成型するか、或いは別々に成型した後に一体に連結することができる。支持部５００ａは、別々に２つの脚部５１０、５２０の上端に回転可能に連結されている２つのヒンジ部品５４０をさらに含む。ヒンジ部品５４０は、上端枠２００の下側に固定されている。図１７ａ〜図１７ｂは、支持部５００ａを示す図である。図１７ａ〜図１７ｂにおいて、図１７ａは表面図であり、図１７ｂは正面図であり、図１７ｃは底面図であり、図１７ｄはＡ−Ａ線に沿う断面図である。脚部５１０、５２０とヒンジ部品５４０との間は、一般的な係合方式により回転可能に係合させることができる。例えば、脚部５１０、５２０の端部には突出部を形成し、ヒンジ部品５４０には突出部と係合する突出部用穴部を形成することができる。或いは、回転軸により脚部５１０、５２０の上端とヒンジ部品５４０とを回転可能に係合させることができる。ヒンジ部品５４０の上端には、装着部５４１が形成されている。ヒンジ部品５４０は、ネジなどにより上端枠２００の下に固定されている。
【００４０】
本実施例のヒンジ部品５４０は、Ｕ字形の当接部５４２をさらに含む。支持部５００ａが展開された場合、脚部５１０、５２０がＵ字形の当接部５４２の底面に当接される。且つ、Ｕ字形の当接部５４２に開口部が形成されているので、脚部５１０、５２０が上端枠２００の下側に密接するよう脚部を折り畳むことができる。展開された支持部５００ａの展開状態を維持するとともに、浴槽の安全性を向上させるため、脚部５１０、５２０に別々に弾性ロック部５１１、５１２を設けるとともに、ヒンジ部品５４０に別々に弾性ロック部５１１、５１２と係合する鉤部５４４を設けることができる。支持部５００ａを展開する時、弾性ロック部５１１、５１２が鉤部５４４に係合されるので、支持部５００ａの展開状態を維持することができる。支持部５００ａを折り畳む場合、弾性ロック部５１１、５１２を押す状態で、脚部５１０、５２０を回転させることにより、支持部５００ａを折り畳むことができる。
【００４１】
図１６ａ〜図１６ｂ、図１８ａ〜図１８ｂは、支持部５００ｂの構造を示す図である。支持部５００ｂの構造と支持部５００ａの構造とが類似するので、ここでは再度説明しない。
【００４２】
本発明の折り畳み可能な浴槽は、プラスチックと熱可塑性弾性材料を採用した一回目の射出成型と二回目の射出成型により成型することができる。本発明の折り畳み可能な浴槽は、構造が簡単である利点と、展開と折り畳みを容易に行うことができる利点と、占用するスペースが少ない利点と、容易に携帯することができる利点などを有しているので、一般の家庭用と旅行に使うことができる。
【００４３】
前述した内容において、図面を参考しながら本発明の複数の実施例について説明したが、前記複数の実施例により本発明を限定する意図はない。前述した複数の実施例は、本発明を説明するための具体的な実施例であり、本発明を限定するものではない。当業者が本発明に基づいて想到し得る容易な変更或いは修飾、即ち本発明の要旨或いは特許請求の範囲が限定した範囲に属するいろいろな変形例或いは改良例はすべて本願の特許請求の範囲が定めた範囲に属する。
【符号の説明】
【００４４】
１００  底面
１１０  平板部分
１１１  排水口
１１２  ゴム栓
１２０  下側連結用壁
１２１  上端部
２００  上端枠
２１０  辺縁部
２１１  フック部
２１３、２１４  取っ手
２１５  図案状凹部
２１６  収納部
２２０  上側連結用壁
２２１  下端部
３００  環状壁部
３０１  環状折り畳み線
４１０  支持棒
４１１  第一端
４１２  第二端
４２０  上側関節部
４２１  上側中空部
４２２  切欠部
４３０  下側関節部
４３１  下側中空部
４３２  係合部
５００ａ、５００ｂ  支持部
５１０、５２０  脚部
５１１、５１２  弾性ロック部
５３０  連結杆
５４０  ヒンジ部品
５４１  装着部
５４２  Ｕ字形の当接部
５４４  鉤部
【図１】
2013540023.tif 000003
【図２】
2013540023.tif 000004
【図３】
2013540023.tif 000005
【図４】
2013540023.tif 000006
【図５】
2013540023.tif 000007
【図６】
2013540023.tif 000008
【図７】
2013540023.tif 000009
【図８】
2013540023.tif 000010
【図９】
2013540023.tif 000011
【図１０】
2013540023.tif 000012
【図１１】
2013540023.tif 000013
【図１２】
2013540023.tif 000014
【図１３】
2013540023.tif 000015
【図１４】
2013540023.tif 000016
【図１５ａ】
2013540023.tif 000017
【図１５ｂ】
2013540023.tif 000018
【図１６ａ】
2013540023.tif 000019
【図１６ｂ】
2013540023.tif 000020
【図１７ａ】
2013540023.tif 000021
【図１７ｂ】
2013540023.tif 000022
【図１７ｃ】
2013540023.tif 000023
【図１７ｄ】
2013540023.tif 000024
【図１８ａ】
2013540023.tif 000025
【図１８ｂ】
2013540023.tif 000026
【図１８ｃ】
2013540023.tif 000027
【図１８ｄ】
2013540023.tif 000028
【国際調査報告】
2013540023.tif 000029
2013540023.tif 000030
2013540023.tif 000031
2013540023.tif 000032